(57)【特許請求の範囲】
【請求項１】
放送方式の異なる放送信号が受信可能なチューナ装置であって、
それぞれが放送方式の異なる放送信号が受信可能であり、かつ、複数の入力端子を備えたチューナユニットを複数個、基板の両面に、その上下面を同一方向に向けて実装し、かつ、当該複数のチューナユニットの入力端子間には、アンテナ入力を分配するための分配器を、前記基板の両面にまたがって取り付けたことを特徴とするチューナ装置。
【請求項２】
前記請求項１に記載したチューナ装置において、前記分配器は、前記基板の面に対して垂直方向に設けられたアンテナ入力端子を備えていることを特徴とするチューナ装置。
【請求項３】
前記請求項１に記載したチューナ装置において、前記基板は、その一部に、前記チューナユニットの一方を覆うように形成した接地層を備えていることを特徴とするチューナ装置。
【請求項４】
前記請求項３に記載したチューナ装置において、前記一方のチューナユニットには、更に、電磁シールドが設けられていることを特徴とするチューナ装置。
【請求項５】
前記請求項１〜４に記載したチューナ装置のための分配器であって、アンテナ入力端子を備えると共に、当該アンテナ入力端子から入力された入力信号を所定のレベルに増幅するための増幅器を内蔵し、かつ、当該増幅器からの出力信号を分岐して出力するための一対の出力端子を備えていることを特徴とする分配器。
【請求項６】
前記請求項５に記載した分配器において、前記アンテナ入力端子は、前記一対の出力端子と直交する方向に配置されていることを特徴とする分配器。
【請求項７】
異なる放送方式の放送信号が受信可能であり、かつ、同時に複数の放送信号が受信可能な放送受信装置であって、その筐体には：
異なるアンテナからの放送信号を受信する受信部と、
前記受信部で受信した信号により映像音声信号を生成する信号処理部を、
前記信号処理部からの映像音声信号を表示する表示部とを備えており、
前記受信部は、それぞれが放送方式の異なる放送信号が受信可能であり、かつ、複数の入力端子を備えた複数のチューナユニットを有し、該複数のチューナユニットが、基板の両面に、その上下面を同一方向に向けて実装されており、かつ、当該複数のチューナユニットの入力端子間には、アンテナ入力を分配するための分配器を、前記基板の両面にまたがって取り付けたことを特徴とすることを特徴とする放送受信装置。
【請求項８】
前記請求項７に記載した放送受信装置において、前記異なる放送方式の放送信号は、アナログ地上波放送、デジタルＢＳ／ＣＳ放送信号、デジタル地上波放送信号を含むことを特徴とする放送受信装置。
【請求項９】
前記請求項７に記載した放送受信装置は、受信したテレビジョン放送を記録するための記録部を備えたテレビジョン受像機であり、前記複数のチューナユニットのうち一つで受信したテレビジョン信号が前記記録部に記録され、他のチューナユニットで受信したテレビジョン信号が前記表示部に表示されるように構成したことを特徴とする放送受信装置。
【請求項１０】
前記請求項７に記載した放送受信装置は、２画面機能を備えたテレビジョン受像機であり、前記複数のチューナユニットのうち一つで受信したテレビジョン信号が一方の画面に表示され、他のチューナユニットで受信したテレビジョン信号が他方の画面に表示可能に構成されることを特徴とするほう送受信装置。
【請求項１１】
前記請求項７に記載した放送受信装置において、前記表示部は薄型ディスプレイにより構成されていることを特徴とする放送受信装置。
【発明の詳細な説明】
【技術分野】
【０００１】
本発明は、放送信号を受信して映像を表示する例えばテレビジョン受像機のような放送受信装置に関し、特に、複数種類のテレビジョン放送信号（たとえばデジタル／アナログ地上波放送、及びデジタル／アナログＢＳ／ＣＳ放送）を、複数、同時に受信可能な放送受信装置、そのためのチューナ装置の構造、更には、そのための分配器に関する。
【背景技術】
【０００２】
地上波デジタル放送が２００３年に開始され、これに伴い、放送受信装置（所謂、テレビション受信装置）は、従来からのアナログ放送やＢＳ／ＣＳ放送を含め、３種類の放送信号を受信することが必要となった。また、同時に、近年においては、放送受信装置における表示デバイスとして、従来のブラウン管（ＣＲＴ）に代わって、平面型の表示パネルが主流となっている。なお、かかる平面型の表示パネルとしては、主に、液晶パネル、プラズマディスプレイレイパネル(以下、ＰＤＰと略す)等を用いた平面型の表示パネルが広く用いられてきており、一般的に、薄型テレビと呼ばれている。
【０００３】
そこで、放送受信装置においては、上述した受信可能な放送信号の種類の増加に伴って、これら３種類の放送信号に対応可能にすべく、即ち、少なくとも３個のチューナを搭載することが必要となった。その際、特に、上述した薄型テレビの場合には、従来のブラウン管テレビの構造に比較し、その内部空間が狭小であり、そのため、これら必要な３個のチューナを内部回路として装置の内部に実装することが困難である。更には、近年におけるテレビション受信装置の多機能化は目覚しく、特に、一の放送番組を視聴すると同時に他の放送番組を記録する同時録画機能を含め、所謂、テレビ内蔵録画機能や２画面機能を達成するためには、各放送の種類に対して、それぞれ、少なくとも２個のチューナが必要となる。即ち、このことによれば、各放送受信装置は、その内部に、少なくとも合計６個のチューナを実装する必要があった。
【０００４】
なお、かかる問題を解決するため、例えば、従来、個別に形成されていた３種類の放送受信用のチューナ、即ち、地上波デジタル用チューナ、地上波アナログ用チューナ、そして、ＢＳ／ＣＳ用チューナをまとめて１個のユニットにして、更には、テレビ内蔵録画機能や２画面機能に対応して、このユニットを、装置内部に２個実装することが行なわれていた。
【０００５】
このような従来技術になる放送受信装置では、アンテナにより受信した各種の放送信号を、アンテナスプリッターを介して、上記２個のチューナユニットに供給することとなるが、その際、スプリッターとチューナとの間をケーブルなどで接続する必要がある。そして、ケーブルは、設置したアンテナから放送受信装置の設置位置に至るまで引き回されることとなるが、その場合、当該ケーブルの引き回しに伴い、その内部を流れる微弱な信号が妨害を受け、更には、信号レベルの減衰が問題となる。また、特に、テレビ内蔵録画機能や２画面機能に対応して上記チューナユニットを２個実装することとなる放送受信装置では、その小型化や薄型化において不利である。
【０００６】
一方、従来、例えば以下の特許文献１によれば、金属シールド体に内蔵される第１チューナと、やはり当該金属シールド体に内蔵される第２チューナと、アンテナ入力を第１チューナと第２チューナの各高周波入力端子に分配するバルン内蔵分配器を備え、当該分配器を第１チューナと第２チューナの各高周波入力端子に直結したデジタル放送受信機が開示されている。
【０００７】
また、以下の特許文献２によれば、共通のシールド筐体内に内蔵された電子チューナであり、当該チューナには、第１電子チューナと、第２電子チューナとが設けられており、アンテナ入力を上記電子チューナの各々に分配するため２つの分配出力を有する分配器を備える電子チューナが既に知られている。
【０００８】
更に、以下の特許文献３によれば、共通のシールド筐体内に内蔵された少なくとも２つのチューナを有する受信装置であって、各チューナは、それぞれ、アンテナ入力端子を備えており、かつ、各チューナを構成する部品を搭載する両面基板は、その一方の面に当該構成部品を実装すると共に、その他方の面のほぼ全域を接地面とし、そして、２つのチューナを、その接地面が対向するように互いに平行に、即ち、面対称に配置され、もって、平行配置した場合における相互の干渉妨害を低減する構造が知られている。
【０００９】
【特許文献１】特開２００１−４４８７０号公報
【特許文献２】特開平１１−３１７６８７号公報
【特許文献３】特開２００３−３０４１６２号公報
【発明の開示】
【発明が解決しようとする課題】
【００１０】
即ち、上記の従来技術によれば、特に、上記の特許文献１や２からは、２つのチューナのアンテナ入力端子に分配器を取り付けることは既に知られており、更には、上記の特許文献３では、２個のチューナを実装するため、各チューナの構成部品を実装した２枚の両面基板を、そのほぼ全域を接地面とした他方の面を互いに対向して配置して相互の干渉妨害を低減する構造は知られている。しかしながら、特に、複数の放送方式に対応したチューナユニットを基板上に実装する際、アンテナ入力端子が接続される分配器の配置構造をも含めて、ケーブルの引き回しに伴う上述の問題点を解消すると共に、その小型化や薄型化して実現するために好適な実装構造については、未だ、十分に考慮されていなかった。
【００１１】
そこで、本発明では、上述したような従来技術における課題に鑑みて為されたものであって、複数の放送方式に対応して複数種（３種類）の放送信号を受信することが可能なチューナユニットを複数個、特に、薄型の放送受信装置において、小型化、薄型化して実装することが可能な技術を提供することにある。また、アンテナ入力端子が接続される分配器の構造をも小型化可能とすることにより、引き回しによる微弱な信号レベルの減衰などを生じることのないチューナ装置とそのための分配器を、更には、それを利用した放送受信装置を提供することをその目的とする。
【課題を解決するための手段】
【００１２】
上記の目的を達成するため、本発明によれば、まず、放送方式の異なる放送信号が受信可能なチューナ装置であって、それぞれが放送方式の異なる放送信号が受信可能であり、かつ、複数の入力端子を備えたチューナユニットを複数個、基板の両面に、その上下面を同一方向に向けて実装し、かつ、当該複数のチューナユニットの入力端子間には、アンテナ入力を分配するための分配器を、前記基板の両面にまたがって取り付けたチューナ装置が提供される。
【００１３】
そして、本発明では、前記に記載したチューナ装置において、前記分配器は、前記基板の面に対して垂直方向に設けられたアンテナ入力端子を備えていることが好ましく、又は、前記基板は、その一部に、前記チューナユニットの一方を覆うように形成した接地層を備えていることが好ましい。更には、前記に記載したチューナ装置において、前記一方のチューナユニットには、更に、電磁シールドが設けられていることが好ましい。
【００１４】
また、本発明によれば、やはり上記本発明の目的を達成するため、前記に記載したチューナ装置のための分配器であって、アンテナ入力端子を備えると共に、当該アンテナ入力端子から入力された入力信号を所定のレベルに増幅するための増幅器を内蔵し、かつ、当該増幅器からの出力信号を分岐して出力するための一対の出力端子を備えている分配器が提供される。なお、本発明では、この分配器において、前記アンテナ入力端子は、前記一対の出力端子と直交する方向に配置されていることが好ましい。
【００１５】
加えて、本発明によれば、やはり上記本発明の目的を達成するため、異なる放送方式の放送信号が受信可能であり、かつ、同時に複数の放送信号が受信可能な放送受信装置であって、その筐体には：異なるアンテナからの放送信号を受信する受信部と、前記受信部で受信した信号により映像音声信号を生成する信号処理部を、前記信号処理部からの映像音声信号を表示する表示部と備えており、前記受信部は、それぞれが放送方式の異なる放送信号が受信可能であり、かつ、複数の入力端子を備えた複数のチューナユニットを有し、該複数のチューナユニットが、基板の両面に、その上下面を同一方向に向けて実装されており、かつ、当該複数のチューナユニットの入力端子間には、アンテナ入力を分配するための分配器を、前記基板の両面にまたがって取り付けた放送受信装置が提供される。
【００１６】
なお、本発明では、前記に記載した放送受信装置において、前記異なる放送方式の放送信号は、アナログ地上波放送、デジタルＢＳ／ＣＳ放送信号、デジタル地上波放送信号を含むことが好ましく、また、放送受信装置は、テレビ内蔵録画機能又は２画面機能を備えていることが好ましく、更には、前記表示部は薄型ディスプレイにより構成されていることが好ましい。
【発明の効果】
【００１７】
上記したように、本発明になるチューナ装置やそのための分配器、そして、放送受信装置によれば、特に、薄型の放送受信装置において、複数の放送方式に対応して複数種の放送信号を受信することが可能なチューナユニットを複数個、その筐体内において小型化、薄型化して実装することが可能となる。また、アンテナ入力端子が接続される分配器の構造をも小型化可能とすることにより、引き回しによる微弱な信号レベルの減衰などを生じることのない優れた実装構造を提供すると言う、実用的にも優れた効果を発揮する。
【発明を実施するための最良の形態】
【００１８】
以下、本発明の実施の形態について、添付の図面を用いながら詳細に説明する。
【００１９】
まず、添付の図１（Ａ）は、本発明の一実施の形態になる放送受信装置の正面外観を示す斜視図であり、図１（Ｂ）は、その背面外観を示す斜視図である。これらの図において、放送受信装置１０は、その一部に、テレビジョン放送信号を受信するためのチューナを含んでおり、標準ＮＴＳＣ信号等のアナログ地上波放送、デジタルＢＳ／ＣＳ放送信号、デジタル地上波放送信号のいずれか一つ、又は、それらの任意の組合せ、若しくは、それら全ての放送信号を受信可能である。また、この放送受信装置１０は、これらの放送信号を録画するためのハード・ディスク・ドライブ(ＨＤＤ)やデジタルビデオプレーヤ/レコーダ（所謂ＤＶＤプレーヤ/レコーダ）を内蔵するもの、又は、その外部に備えるものであってもよい。その他、ビデオ信号、コンポーネント信号の入力およびその出力を持っていてもよい。
【００２０】
また、図１（Ａ）に示す表示パネル（表示部）１１は、液晶パネル、ＰＤＰもしくはＦＥＤ等の薄型ディスプレイにより構成することができる。尚、以下においては、表示パネル１１として液晶パネルもしくはＰＤＰのいずれかを用いるものとして説明する。また、図中の符号２０は、この表示パネル（表示部）１０の両側に設けられた、音声を出力するためのスピーカを示している。加えて、図中の符号３０は、上記放送受信装置１０の動作をユーザが制御するために用いる、所謂、リモコン（リモートコントローラ）である。
【００２１】
そして、図１（Ｂ）にも示すように、例えば、表示パネル（表示部）１１の反対側（裏側）には、従来からのアナログ放送やＢＳ／ＣＳ放送を含め、３種類の放送信号を受信することが可能なチューナユニットや信号処理回路などを含む基板（チューナ部）が、その筐体１２の内部に実装されている。なお、本実施の形態になる放送受信装置１０では、後にもその詳細を説明するが、近年における多機能化に対応して、一の放送番組を視聴すると同時に他の放送番組を記録する同時録画機能を含めた、所謂、テレビ内蔵録画機能や２画面機能を達成するため、上記３種類の放送に対して、それぞれ、２個のチューナを備えている。即ち、放送受信装置は、その内部に、合計６個のチューナを実装している。なお、この図１（Ｂ）では、地上波放送信号を受信するためのアンテナ４０からの受信信号を、ケーブル４１を介して、装置内のチューナ部へ導くためのアンテナ入力端子が、符号４２で、他方、ＢＳ／ＣＳ放送信号を受信するためのパラボラ状のアンテナ５０からの受信信号を、ケーブル５１を介して、装置内のチューナへ導くためのアンテナ入力端子が、符号５２で示されており、これらケーブルの端子（ケーブル端子）が符号４３、５３で示されている。
【００２２】
次に、添付の図２は、上記放送受信装置１０の内部、即ち、表示パネル（表示部）１１裏側の筐体１２の内部に実装されているチューナ部の全体構成が示されている。なお、図２（Ａ）は、上記アンテナ入力端子４２、５２を含む分配器（アンテナスプリッター）を取り付ける前のチューナ部の全体構成を、そして、図２（Ｂ）は、当該分配器１３０、１４０を取り付け後のチューナ部の全体構成を示している。これらの図からも明らかなように、このチューナ部は、１枚からなる基板１００の一方の面には、メインチューナ１１０を含む各種の回路部品や入力端を実装しており、その他方の面にはサブチューナ１２０を実装している。なお、これらのメインチューナ１１０とサブチューナ１２０は、それぞれ、従来からのアナログ放送やＢＳ／ＣＳ放送を含め、３種類の放送信号を受信することが可能なチューナユニット（３インワンチューナ）により構成された、同一形状のものを使用（又は、同一のチューナを共用）している。換言すれば、３インワンチューナを基板１００の両側に配置し（二段重ね）、そして、これら二段重ねに配置した３インワンチューナの２つの入力端子（接栓）、即ち、メインチューナ１１０の入力端子１１１と１１２、そして、サブチューナ１２０の入力端子１２１と１２２に、それぞれ、分配器（アンテナスプリッター）１３０、１４０を直接接続することにより構成されている。
【００２３】
また、図２（Ｂ）にも明らかなように、各分配器１３０、１４０には、上記ケーブル４１、５１を接続するため、即ち、上記ケーブル端子４３、５３が挿入されるための上記アンテナ入力端子４２、５２（上記図１（Ｂ）を参照）が設けられている。すなわち、地上波放送信号は分配器１４０を介してメインチューナ１１０とサブチューナ１２０の入力端子１１２に供給され、ＢＳ／ＣＳ放送は分配器１３０を介してメインチューナ１１０とサブチューナ１２０の入力端子１１１に供給される。また、後にも説明するが、各分配器１３０、１４０には、それぞれ、一対の出力端子（接栓）１３２、１３３、１４２、１４３が設けられている。なお、これらアンテナ入力端子４２、５２は、上記のチューナユニットに対して直角に、より具体的には、上記基板１００の面に対して垂直な方向に設けられていると共に、他方、一対の出力端子１３２、１３３、１４２、１４３は、上記基板１００の面に対して水平な方向に、即ち、上記ケーブル端子４３、５３に直交する方向に設けられている。
【００２４】
更に、添付の図３（Ａ）には、上記基板１００の両面上でのメインチューナ１１０とサブチューナ１２０の実装構造の詳細を示すための断面図（上記図２（Ａ）のＡ−Ａ断面）が、そして、図３（Ｂ）には、その一部（図３（Ａ）のＢ部）の拡大断面図が示されている。これらの図からも明らかなように、同一形状又は共用するメインチューナ１１０とサブチューナ１２０は、その上下の面を同一方向に向けて配置されている。このため、チューナユニットを上から見たときの、各チューナの地上波放送信号用の入力端子１１２の位置を等しくできる。同様に、ＢＳ／ＣＳ放送信号用の入力端子１１１の位置も等しくできる。よって、このような配置によれば、よって、図３（Ｂ）に示されるような簡易な構成の分配器１３０、１４０で２つの入力端子１１１同士、及び２つの入力端子１１２同士を接続できる。なお、これらの図では、メインチューナ１１０又はサブチューナ１２０の両側の略中央部には、後に詳細に説明するチューナユニットの保持機構１１３又は１２３が、それぞれ一対づつ取り付けられている。
【００２５】
更に、図３（Ａ）に明らかなように、基板１００の下方に配置されるサブチューナ１２０は、サブチューナ保持基板２００の上に実装されており、このサブチューナ保持基板２００は、例えば、フラットケーブル２１０を介して、上記基板１００上に形成された配線との間で電気的に接続されている。ここで、基板１００とサブチューナ保持基板２００は、互いに平行であり、かつそのはんだ面が互いに対向しないように配置されている。さらに、上述したように、更には、このサブチューナ保持基板２００の外周には、例えば添付の図４に示すような形状の鉄製の電磁シールドケース２２０が設けられている。なお、このシールドケース２２０の各側壁の上部には、当該シールドケース２２０を上記基板１００に形成したスリットに挿入固定される突出部が形成されている。加えて、図示しないが、上記の基板１００及びサブチューナ保持基板２００の一方の面、例えば、下面側には、上記サブチューナ１２０に対向する部分には接地層が設けられている。このように、チューナユニット上側に保持機構１２３を設けることにより、下側のチューナ（サブチューナ）ユニット１２０を、その上方の基板１００へ接続して固定することが出来る。
【００２６】
そして、図３（Ｂ）に明らかなように、上記基板１００の両面にメインチューナ１１０とサブチューナ１２０とを実装した状態において、サブチューナ１２０の上面に接触することから防止するため、上記保持機構１２３の高さＤは、基板下面から突出したメインチューナ１１０の端子の高さｄよりも大きく設定されている（Ｄ＞ｄ）。
【００２７】
続いて、上記にその構造を詳細に説明した放送受信装置１０の、特に、そのメインチューナ１１０とサブチューナ１２０とを含むチューナ部を中心にして、その回路構成について、添付の図５により説明する。この図からも明らかなように、各分配器（アンテナスプリッター）１３０又は１４０はその内部に増幅器１３１を備えており、アンテナ４０又は５０により受信した微弱な信号を所定のレベルまで増幅する。そして、これらの信号は分岐され、即ち、入力端子１１１又は１２１を介して上記メインチューナ１１０へ、又は、入力端子１１２又は１２２を介して上記サブンチューナ１２０へ、それぞれ、供給される。
【００２８】
一方、上記のメインチューナ１１０とサブチューナ１２０は、上述したように、３種類の放送信号を受信することが可能な３インワンチューナとして構成されており、例えば、メインチューナ１１０では、入力端子１１１からの入力信号は、地上波用のＵ／Ｖチューナ回路１１５に入力された後、ＩＦ信号として出力される。他方、入力端子１１２からの入力信号は、ＢＳ／ＣＳ用のチューナ回路１１６に入力された後、Ｉ／Ｑ信号として出力される。なお、これらＩＦ信号とＩ／Ｑ信号は、デジタル信号である。更には、この３インワンチューナでは、上記Ｕ／Ｖチューナ回路１１５からの出力の一部は、地上波アナログ放送を復調するためのＡ／Ｖ復調回路１１７及び音声多重復調回路１１８を介して、アナログ信号として画像処理などを行うアナログ信号処理回路１７０へ出力される。
【００２９】
他方、上記Ｕ／Ｖチューナ回路１１５からのデジタルＩＦ信号とＢＳ／ＣＳ用チューナ回路１１６からのデジタルＩ／Ｑ信号とは、更に、デジタル復調回路１５０を構成するＯＦＤＭ回路１５１と８ＰＳＫ（8 Phase Shift Keying）回路１５２とにそれぞれ入力され、所定のデジタル信号に復調された後、例えば、ＭＰＥＧデコーダ等を含むデジタル画像処理を行うデジタル信号処理回路１８０へ出力される。
【００３０】
なお、上記サブチューナ１２０も、メインチューナ１１０と同様、地上波用Ｕ／Ｖチューナ回路１２５、ＢＳ／ＣＳ用チューナ回路１２６、Ａ／Ｖ復調回路１１７及び音声多重復調回路１１８を備えており、アナログ信号を上記アナログ信号処理回路１７０へ出力すると同時に、デジタル信号であるＩＦ信号とＩ／Ｑ信号とを、やはりＯＦＤＭ回路１６１と８ＰＳＫ回路１６２とから構成されるデジタル復調回路１６０を介して、上記デジタル信号処理回路１８０へ出力する。
【００３１】
そして、上記アナログ信号処理回路１７０及びデジタル信号処理回路１８０からの画像音声信号は、例えば、装置全体の制御を行なう制御装置（例えば、ＣＰＵから構成される）からの制御信号によりその入出力回路が切り換えられるスイッチ（ＳＷ）回路１９０を介して、例えば、上記表示パネル（表示部）１１を構成するＰＤＰ１１及びそのスピーカ１２（上記図１（Ａ）を参照）、装置に内蔵した放送信号を録画するためのハード・ディスク・ドライブ(ＨＤＤ)３００、或いは、外部出端子を介して、装置の外部に取り付けられたデジタルビデオプレーヤ/レコーダ（所謂ＤＶＤプレーヤ/レコーダ）４００などへ、適宜、出力されることとなる。
【００３２】
このように、以上に詳述した本発明になる放送受信装置によれば、複数の放送方式に対応して、複数種（３種類）の放送信号を受信することが可能なチューナユニットである３インワンチューナを利用し、更には、多機能化のために複数（２個）を薄型の放送受信装置内に実装する構造において、これらチューナを基板の両側に配置し、これらチューナのアンテナ入力端子に対して、アンテナスプリッター（分配器）を垂直に配置して直接取り付ける構造としたことから、従来その内部で使用していたアンテナケーブルが不要となり、性能・コストの面で有利となり、かつ、従来部品を実装していない基板の裏面にサブチューナを実装することにより、実装面積において有利となることから、チューナ部分を小型化、薄型化して実装することが可能となる。特に、チューナユニットを搭載する基板の面に対し、アンテナ入力端子を直角に配置することによれば、薄型テレビでの実装面積の向上に貢献出来ると共に、受信装置の背面に向かってアンテナ入力端子を配置することが可能となるため、アンテナケーブルの接続作業が容易となる。即ち、アンテナ入力端子が接続される分配器の構造をも小型化可能とすることにより、引き回しによる微弱な信号レベルの減衰などを生じることのないチューナユニットとそのための分配器を、そして、それを利用した放送受信装置を提供することが可能となる。
【００３３】
また、メインチューナとサブチューナは同じ形状のチューナユニットを使う（共用化を可能にする）ことから、市場などの状況により、例えば、下側チューナユニット（サブチューナ）を取り外すことにより、シングルチューナモデルにも、容易に対応することも可能となる。
【図面の簡単な説明】
【００３４】
【図１】本発明の一実施の形態になる放送受信装置の全体構成を示す前後方向からの斜視図である。
【図２】上記放送受信装置に内蔵されたチューナ部の実装構造を示す、分配器の取付前後の状態を示す斜視図である。
【図３】チューナ部の実装構造の詳細を示す、上記図２のＡ−Ａ断面図及びその一部拡大断面図である。
【図４】上記チューナ部の実装構造における電磁シールドケースの構造の一例を示す斜視図である。
【図５】上記放送受信装置の回路構成を、そのチューナ部を中心にして示す全体回路構成図である。
【符号の説明】
【００３５】
１０…放送受信装置
１１…表示パネル
４０、５０…アンテナ
１００…基板
１１０…メインチューナ
１１１、１１２…入力端子
１２０…サブチューナ
１２１と１２２…入力端子
１３０、１４０…分配器（アンテナスプリッター）
４２、５２…入力端子
１３２、１３３、１４２、１４３…出力端子（接栓）
２２０…電磁シールド。
【図１】
0004659666.tif 000002
【図２】
0004659666.tif 000003
【図３】
0004659666.tif 000004
【図４】
0004659666.tif 000005
【図５】
0004659666.tif 000006